(57)【要約】      （修正有）【課題】ストレッチフィルムで荷物などの包装作業を行う時、フィルムを巻き付け、付属のノリ付けローラーでノリ付けをして、先端に付いているカッターでフィルムを切って、手を痛める事もない芯管用ホルダーを提供する。【解決手段】芯管用ホルダーは、ストレッチフィルムの紙管を挟むホルダー部２をアーム部１の両端に取り付け、アーム部１は、バネの役割をして紙管の脱着が簡単で、ホルダー部２の指挿入穴３に指２〜３本を入れて、手を痛める事もなく軽く持てる。フィルムを巻き付けて行き、イボ付きローラー１６を荷物に押し当てながら更にフィルムを巻き付けるとアーム部ローラー５とノリ付けローラー２０が圧迫される事によりスポンジ１２からノリがにじみ出てフィルムにノリ付けが出来、そして、アーム部１の先端に設けてあるカッター刃でフィルムを切る事が出来る一体構造になっている芯管用ホルダーである。【選択図】図１
2013018545.tif 000002
【特許請求の範囲】
【請求項１】
芯管用ホルダーは、ストレッチフィルムの紙管を挟むホルダー部（２）をアーム部（１）の両端に取り付けホルダー部（２）とアーム部（１）を一体構造にした。またアーム部（１）は、山折り、谷折り、に交互に造りストレッチフィルムの紙管の脱着が容易に出来るようにバネの役割をする形態を備えることを特徴とする芯管用ホルダー構造。
【請求項２】
包装作業でフィルムをノリ付けする時、ノリ付けローラーアーム（６）の先端に取り付けてあるイボ付きローラー（１６）を荷物に押し当て更にフィルムを巻き付けるとアーム部ローラー（５）とノリ付けローラー（２０）が圧迫されてノリ付けローラー（２０）のスポンジ（１２）からノリが、にじみ出て来てフィルムにノリ付けが出来る形態を備えることを特徴とする芯管用ホルダー構造。
【請求項３】
前記ノリ付けローラー（２０）から不要にノリが出ないようにアーム部（１）とノリ付けローラーアーム（６）の間は圧縮コイルばね（７）を、ホルダー部（２）とノリ付けローラーアーム（６）の間には引張コイルばね（８）を設け、ノリ付けローラーアーム（６）の軸にはねじりコイルばね（９）のいずれかを使いノリ付けローラー（２０）がアーム部ローラー（５）に接触しないように離す事が出来る形態を備えることを特徴とする芯管用ホルダー構造。
【請求項４】
芯管用ホルダーで包装作業中、不用意にストレッチフィルム（２２）がノリ付けローラー（２０）に接触してノリが付いたりしないようにフィルム保持ローラー（４）で守る。
そして、作業途中で、フィルムをカッター刃（１４）で切断しないためにアーム部ローラー（５）を設けてストレッチフィルム（２２）を保護する事が出来る形態を備えることを特徴とする芯管用ホルダー構造。
【請求項５】
ノリ付けローラー（２０）はノリ補充用ノズル（１５）でノリの補充が出来て、スポンジ（１２）は、スポンジガード（１３）によってガードされている。そして軸受穴（１９）でノリ付けローラー用歯車（１０）ともどもノリ付けローラー（２０）は脱着出来てノリ付けローラー密閉ケース（２１）で乾燥を防ぐ事が出来る形態を備えることを特徴とする芯管用ホルダー構造。
【請求項６】
この芯管用ホルダーで荷物をストレッチフィルム（２２）で包装作業の終わりにノリ付けローラー（２０）でフィルムへ、ノリ付けした後アーム部（１）の先端に取り付けてあるカッター刃（１４）でストレッチフィルム（２２）を切る事が出来る形態を備えることを特徴とする芯管用ホルダー構造。
【請求項７】
また、ノリ付けローラーの先端に付いているイボ付きローラーのイボの形状として図７のようにイボが短かい形状や図８のようにイボが長いなどの形状があるイボ付きローラーを備えることを特徴とする芯管用ホルダー構造。
【発明の詳細な説明】
【技術分野】
【０００１】  本発明は、紙管に巻き付けたフィルムを巻き戻す際に使用する芯管用ホルダーに関し、特に運搬する荷物の包装や荷崩れ防止に用いるストレッチフィルムを紙管から巻き戻す時に使用する便利な、カッターとノリ付けローラー付き芯管用ホルダーに関するものである。
【背景技術】
【０００２】  従来からパレットに積載された荷物の包装や荷崩れを防止するために使用されているストレッチフィルムで上記の荷物の包装の時に紙管から巻き戻されて複数の荷物をまとめて包装している。【０００３】  この包装作業を行う場合には、ストレッチフィルムを巻き付けた紙管の両端部を両手で持って、フィルムの先端部を荷物のバンドに縛るか、荷物の隙間に挟んだりして、紙管を両手で持って作業員が移動してフィルムを巻き戻して荷物への包装作業を行っている。【０００４】  ところが、一般に多用されているロール径７６ｍｍで、幅５０ｃｍのフィルムは、重量が２．５ｋｇ位あり、作業をする時、手を摩擦の熱で痛めたりすることなく包装作業をする事が出来る把持具は必要であった。【０００５】  そこで、上記の作業を行う際に使用する便利な各種ホルダーが考案されている。
【先行技術文献】
【特許文献】
【特許文献１】特開２００８−２４４９２
【特許文献２】特開２０１０−１３１５７
【発明の概要】
【発明が解決しようとする課題】
【０００６】  しかしながら、特許文献１記載のフィルムホルダー器具では、フィルムを巻く時の強弱は設置してあるが、１ヶずつ分かれていて、２ヶセットでないと使えない。
又、フィルムを巻き終えると、別にカッターを使うか、手でちぎらないと用を足さないため不便である。【０００７】  また、特許文献２のような器具では、フィルムを巻く作業には理想的ではあるが、巻く作業中にフィルムの紙管の芯の中心を通っているボルトのネジが緩んだりして不便である。又、パレットに積載された荷物の包装作業が終わった当初は切り離したフィルムの端はフィルムとフィルムの接着力で付いているが、時間がたつと、フィルムの端が剥がれてきて、仕上がりがきれいでない。【０００８】  そこで、上記のような包装作業において作業員がスピーディーに作業が出来て、包装した荷物の仕上がりがきれいに出来上がるような芯管用ホルダーが求められている。【０００９】  本発明は、芯管用ホルダーへのストレッチフィルムの紙管の取り付けや、取り外しが簡単に出来て、テンポ良くフィルム巻きをして、ノリ付けをしてからカッター刃でフィルムを切って作業がスムーズに流れる事が出来る芯管用ホルダーを提供する事を目的とする。
【発明を解決するための手段】
【００１０】  このような目的を達成する本発明の芯管用ホルダーは、ストレッチフィルムの紙管を挟むホルダー部をアーム部の両端に取り付け、ホルダー部とアーム部は一体構造になります。
また、アーム部は、山折り、谷折り、交互に造ってあり、ストレッチフィルムの紙管の取り付けや、取り外しが簡単に出来るように、バネの役割をして広がり、また元に戻る。
【００１１】  また、包装作業をする時フィルムの先端を荷物にノリ付けをして更にフィルムを巻き付けて包装作業が終わる時にイボ付きローラーを荷物に押し当てながら更にフィルムを巻き付けるとイボ付きローラーとノリ付けローラーに付属している歯車によって回転してアーム部に設けてあるローラーとノリ付けローラーが圧迫されてローラー内のノリがスポンジからにじみ出てフィルムにノリ付けが出来る。
【００１２】  また、先端のイボ付きローラーを荷物などに押し当てて、ノリ付けローラーを使う時以外はフィルムを巻く作業の邪魔にならないようにアーム部とノリ付けローラーのアームの間に圧縮コイルばねを設けて引き離します。またノリ付けローラーアームの軸には、ねじりコイルばねを設けます。そしてホルダー部と、ノリ付けローラーアームの間には、引張コイルばねを、この３種類のコイルばねから１種類を選んで用います。
【００１３】  そして、フィルムにノリ付けの際は、先端のイボ付きローラーを荷物に押し当てながらフィルムを更に巻き付けるとイボ付きローラーの端に付属している歯車によってノリ付けローラーも回転し、アーム部ローラーと圧迫される事により薄いノリをフィルムに付着させます。しかしながら、作業が終わって長時間使用しないとノリ付けローラーのスポンジなどがノリなどで固着などするため取り外して洗浄のため脱着出来るようにアームに軸受けの穴を設けローラーは歯車ごとアームの軸受け穴にはめ込みます。また、スポンジの乾燥を防ぐためノリ付けローラーと歯車一式が入いる容器を設け、ローラーは交換用に２ケ用意する。
【００１４】  また、フィルムで包装作業が終わったら芯管用ホルダーのアーム部の先端に付いているギザギザのカッター刃でフィルムをスパッと切る事が出来るので楽である。
【発明の効果】
【００１５】  このようなカッターとノリ付けローラー付き芯管用ホルダーは、従来から使われているホルダーには無いノリ付け機能が備えてある、又、荷物への包装作業が終わるとホルダーに備えてあるカッター刃でフィルムを切る事が出来るので別にカッターを用意しなくても良いから便利である。
【発明を実施するための形態】
【００１６】  以下、本発明のカッターとノリ付けローラー付き芯管用ホルダーのその実施の形態について、図面を参照して説明する。
【００１７】  図１は本発明の実施例を示すものでありアーム部１、は山折り、谷折りになっていてバネの役割をしてホルダー部２、でストレッチフィルムの紙管の脱着を容易に出来る。
【００１８】  ホルダー部２、に設けてある紙管外側ホルダー１７、と紙管内側ホルダー１８、によってストレッチフィルムの紙管を軽く挟んで指挿入穴３、に指２本〜３本程入れて紙管を空転させながら巻く強弱を自在にきめれます。
【００１９】  また、ノリ付けローラーでノリ付けする時、フィルムを巻きながら荷物にイボ付きローラー１６、を押し当てるとイボ付きローラー用歯車１１、と、ノリ付けローラー用歯車１０、によって逆回転し、アーム部ローラー５、に圧迫される事により、フィルムが送り出されると同時に荷物側にノリ付けする事が出来る。
【００２０】  また、ノリ付けローラー２０、は、ノリ補充用ノズル１５、でノリの補充が出来ます、スポンジ１２、からノリがにじみ出てくる。スポンジガード１３、によってスポンジ１２、は、ガードされている。そして軸受け穴１９、でノリ付けローラー用歯車１０、ともどもノリ付けローラー２０、は脱着出来て、ノリ付けローラー密閉ケース２１、で乾燥を防ぎます。
【００２１】  ノリ付けローラーアーム６、は、ノリ付け作業をする時以外はストレッチフィルム２２、が、ノリ付けローラー２０、に接触しないようにフィルム保持ローラー４、の内側にストレッチフィルム２２、を通し、ノリ付けローラー２０、と、アーム部ローラー５、が圧迫して不要にノリが出ないように、アーム部１、と、ノリ付けローラーアーム６、との間に圧縮コイルばね７、を設けます。ノリ付けローラーアーム６、とホルダー部２、との間は引張コイルばね８、を、またアーム部１、とノリ付けローラーアーム６、とを引き離すには、ねじりコイルばね９、のいずれかを用います。
【００２２】  そして、荷物への包装作業が終わるとアーム部１、の先端に取り付けてあるギザギザのカッター刃でフィルムをスパッと切って一連の作業がスムーズに終わる。
【図面の簡単な説明】
【００２３】
【図１】本発明のカッターとノリ付けローラー付き芯管用ホルダーの正面、斜視図である。
【図２】本発明のカッターとノリ付けローラ付き芯管用ホルダーの右側面図である。
【図３】本発明のイボ付きローラーとノリ付けローラーの歯車を介しての動作図である。
【図４】本発明のイボ付きローラーとノリ付けローラーの回転方向と、アーム部ローラーとフィルム保持ローラーの回転方向と、ストレッチフィルムの巻き戻された動作図である。
【図５】本発明のカッターとノリ付けローラー付き芯管用ホルダーで、ストレッチフィルムの紙管を両側から挟むホルダー部の拡大図である。
【図６】本発明のカッターとノリ付けローラー付き芯管用ホルダーのバネの役割を持つアーム部とホルダー部でストレッチフィルムの紙管を挟む側面図である。
【図７】本発明のイボ付きローラーのイボの短かい図である。
【図８】本発明のイボ付きローラーのイボの長い図である。
【図９】本発明のカッターとノリ付けローラー付き芯管用ホルダーの、ノリ付けローラーと歯車ともどもノリ付けローラー密閉ケースに保管した斜視図である。
【符号の説明】
【００２４】  １・・・・・・アーム部
２・・・・・・ホルダー部
３・・・・・・指挿入穴
４・・・・・・フィルム保持ローラー
５・・・・・・アーム部ローラー
６・・・・・・ノリ付けローラーアーム
７・・・・・・圧縮コイルばね
８・・・・・・引張コイルばね
９・・・・・・ねじりコイルばね
１０・・・・・・ノリ付けローラー用歯車
１１・・・・・・イボ付きローラー用歯車
１２・・・・・・スポンジ
１３・・・・・・スポンジガード
１４・・・・・・カッター刃
１５・・・・・・ノリ補充用ノズル
１６・・・・・・イボ付きローラー
１７・・・・・・紙管外側ホルダー
１８・・・・・・紙管内側ホルダー
１９・・・・・・軸受け穴
２０・・・・・・ノリ付けローラー
２１・・・・・・ノリ付けローラー密閉ケース
２２・・・・・・ストレッチフィルム
【図１】
2013018545.tif 000003
【図２】
2013018545.tif 000004
【図３】
2013018545.tif 000005
【図４】
2013018545.tif 000006
【図５】
2013018545.tif 000007
【図６】
2013018545.tif 000008
【図７】
2013018545.tif 000009
【図８】
2013018545.tif 000010
【図９】
2013018545.tif 000011